(57)【要約】【課題】遠隔操作によってガスコンロの制御プログラムの更新が行うことが可能で、しかも、制御プログラムの更新中にガスコンロの使用が制限される不便を抑制することが可能なガスコンロを提供する。【解決手段】制御部Ｈが、外部機器との間で通信信号の送受信を行う送受信部を備え、外部機器からの通信信号による更新指令の実行により、制御プログラムを更新できるようにするとともに、（ａ）制御部が、外部機器からの制御プログラムを更新すべき旨の要求である更新要求を受信した後、外部機器に対して更新を拒否する旨の信号である更新拒否信号を返信したときには、外部機器が通信信号による更新指令を実行せず、（ｂ）制御部が、外部機器からの更新要求を受信した後、外部機器に対して更新を許可する旨の信号である更新許可信号を返信したときには、外部機器が通信信号による更新指令を実行するように構成する。【選択図】図２
2020024052.tif 000002
【特許請求の範囲】
【請求項１】
使用者が操作する手動操作部の指令によって点火、消火、および、火力の制御が行われるコンロバーナと、
制御プログラムを実行するマイクロコンピュータを備え、前記手動操作部の指令に基づいて前記コンロバーナの火力を制御する制御部と
を備えたガスコンロであって、
前記制御部が、外部機器との間で通信信号の送受信を行う送受信部を備え、
前記外部機器からの前記通信信号による更新指令の実行により、前記制御プログラムを更新することができるように構成され、
（ａ）前記制御部が、前記外部機器からの前記制御プログラムを更新すべき旨の要求である更新要求を受信した後、前記外部機器に対して更新を拒否する旨の信号である更新拒否信号を返信したときには、前記外部機器が前記通信信号による前記更新指令を実行せず、
（ｂ）前記制御部が、前記外部機器からの前記更新要求を受信した後、前記外部機器に対して更新を許可する旨の信号である更新許可信号を返信したときには、前記外部機器が前記通信信号による前記更新指令を実行するように構成されていること
を特徴とするガスコンロ。
【請求項２】
前記制御部は記憶部を備えており、
前記記憶部は、２４時間の整数倍の所定周期を複数の時間帯に分割し、前記複数の時間帯のうち、前記手動操作部の操作が行われた時点が含まれる時間帯をガスコンロ使用時間帯として記憶するとともに、前記複数の時間帯のうち、前記手動操作部の操作が行われたことのない時間帯をガスコンロ不使用時間帯として記憶し、
（ａ）前記外部機器からの前記更新要求を受信した時間帯が前記ガスコンロ使用時間帯であるときには、前記制御部が、前記外部機器からの前記更新要求を受信した後、前記外部機器に対して前記更新拒否信号を返信し、また、
（ｂ）前記外部機器からの前記更新要求を受信した時間帯が前記ガスコンロ不使用時間帯であるときには、前記制御部が、前記外部機器からの前記更新要求を受信した後、前記外部機器に対して前記更新許可信号を返信するように構成されていること
を特徴とする請求項１記載のガスコンロ。
【請求項３】
前記コンロバーナの火炎を熱起電力により検出する熱電対と、
前記コンロバーナにて加熱される被加熱物としての調理容器の底面部に接触することにより、前記被加熱物の温度を検出する温度センサとを備え、
前記制御部が、（１）前記手動操作部の指令によって点火を行った後、所定時間経過後における前記熱電対の熱起電力が所定の閾値以下のときに前記コンロバーナを消火するように制御する、炎検出制御プログラムと、（２）前記温度センサによる前記被加熱物の検出温度が所定温度より高いときに、前記制御プログラムが前記コンロバーナを消火するように制御する、ハイカット制御プログラムとを含み、
前記制御部が、前記制御プログラムに代えて、少なくとも前記炎検出制御プログラムおよび前記ハイカット制御プログラムを含み、かつ、前記制御プログラムとは異なる暫定プログラムを実行することができるように構成され、
前記外部機器からの前記更新要求を受信した後、前記外部機器に対して前記更新拒否信号を返信した回数が所定回数に達したとき、前記外部機器が、前記通信信号によって前記制御プログラムを強制的に更新する強制更新指令を実行し、
前記強制更新指令が実行されたとき、前記制御プログラムが更新されるとともに、
前記制御部が、前記制御プログラムに代えて、前記暫定プログラムを実行するように構成されていること
を特徴とする請求項１または２記載のガスコンロ。
【発明の詳細な説明】
【技術分野】
【０００１】
本発明は、ガスコンロに関し、詳しくは、制御プログラムの更新を行うことが可能なガスコンロに関する。
【背景技術】
【０００２】
近年、コンロバーナなどを制御するための制御プログラムに基づいて、制御部がコンロバーナの燃焼状態などを制御するように構成されたガスコンロが広く用いられるようになっている。
【０００３】
そのようなガスコンロにおいては、諸般の事情により、制御プログラムを更新することが必要になる場合がある。
【０００４】
ところで、器機の制御プログラムを更新するためのシステムとして、特許文献１には、車載制御装置のプログラム更新システムが開示されている。
【０００５】
この特許文献１に開示された車載制御装置のプログラム更新システムは、少なくとも一つの車載制御装置を含み、車両の外部に設けられた外部装置とのデータ通信を行なうとともに、当該外部装置から送信された更新データに基づいて前記車載制御装置に記憶されたプログラムの更新を行う車載制御装置のプログラム更新システムであって、
車両に設けられ、外部装置とのデータ通信を行なう車載通信手段と、
車載制御装置に含まれ、プログラムが記憶された車載記憶部と、
車載制御装置に含まれ、車両に搭載されたセンサから出力されたセンサ信号を取得する取得手段と、
車載制御装置に含まれ、プログラムとセンサ信号に基づいて所定の処理を実行する処理手段と、
車載制御装置に含まれ、車載通信手段にて外部装置から更新データを受信して、当該更新データに基づいて車載記憶部に記憶されたプログラムを書き換えることで、当該プログラムを更新する更新手段と、を含み、
処理手段は、更新手段によるプログラムの更新中はセンサ信号に基づく処理を実行しない
ように構成されている。
【０００６】
特許文献１の車載制御装置のプログラム更新システムは、上述のように構成されていることから、プログラムの更新以外の処理を低減することが可能になり、プログラムの更新中にセンサ信号に基づく処理（プログラムの更新以外の処理）を行うことによって生じるプログラム更新の失敗を抑制することができるという利点がある。
【先行技術文献】
【特許文献】
【０００７】
【特許文献１】特許第５６０９７０２号公報
【発明の概要】
【発明が解決しようとする課題】
【０００８】
ところで、上記特許文献１に記載された車載制御装置のプログラム更新システムは、明らかにプログラム更新が車の停車中に行われることを想定したものであり、プログラム更新中に車の走行が行われないことを前提としている。
したがって、このような特許文献１の構成を、ガスコンロにおける制御プログラムの更新に適用することは困難であるのが実情である。
【０００９】
ここで、ガスコンロの制御プログラムの更新を行う場合について考察する。
【００１０】
ガスコンロの制御プログラムの更新を行う場合、例えば、当該ガスコンロのメーカなどが運用するメンテナンスセンターから、遠隔操作によってガスコンロの制御プログラムの更新が行うことができれば、制御プログラムの更新のためにガスコンロをメンテナンスセンターなどの施設に移動したり、ガスコンロの制御プログラムの更新を行う作業者が、当該ガスコンロの設置場所に移動したりすることが不要になり、好都合である。
【００１１】
また、遠隔操作によってガスコンロの制御プログラムの更新が行うことを想定した場合、遠隔操作による制御プログラムの更新中に、当該ガスコンロの所有者がガスコンロを使用することが考えられる。そのため、制御プログラムの更新中にガスコンロを使用することによって生じるプログラム更新の失敗を防止するための措置が必要になる。
【００１２】
ただし、制御プログラムの更新中にガスコンロの使用ができないように制限した場合には、使用者に不便を強いることになるので、制御プログラムの更新中において、ガスコンロの使用が制限される事態が生じることはできるだけ避けることが望ましい。
【００１３】
本発明は、上記の課題を解決するものであり、遠隔操作によってガスコンロの制御プログラムの更新が行うことが可能で、しかも、制御プログラムの更新中にガスコンロの使用が制限される不便を抑制することが可能なガスコンロを提供することを目的とする。
【課題を解決するための手段】
【００１４】
上記の目的を達成するために、本発明のガスコンロは、
使用者が操作する手動操作部の指令によって点火、消火、および、火力の制御が行われるコンロバーナと、
制御プログラムを実行するマイクロコンピュータを備え、前記手動操作部の指令に基づいて前記コンロバーナの火力を制御する制御部と
を備えたガスコンロであって、
前記制御部が、外部機器との間で通信信号の送受信を行う送受信部を備え、
前記外部機器からの前記通信信号による更新指令の実行により、前記制御プログラムを更新することができるように構成され、
（ａ）前記制御部が、前記外部機器からの前記制御プログラムを更新すべき旨の要求である更新要求を受信した後、前記外部機器に対して更新を拒否する旨の信号である更新拒否信号を返信したときには、前記外部機器が前記通信信号による前記更新指令を実行せず、
（ｂ）前記制御部が、前記外部機器からの前記更新要求を受信した後、前記外部機器に対して更新を許可する旨の信号である更新許可信号を返信したときには、前記外部機器が前記通信信号による前記更新指令を実行するように構成されていること
を特徴としている。
【００１５】
本発明のガスコンロにおいて、
前記制御部は記憶部を備えており、
前記記憶部は、２４時間の整数倍の所定周期を複数の時間帯に分割し、前記複数の時間帯のうち、前記手動操作部の操作が行われた時点が含まれる時間帯をガスコンロ使用時間帯として記憶するとともに、前記複数の時間帯のうち、前記手動操作部の操作が行われたことのない時間帯をガスコンロ不使用時間帯として記憶し、
（ａ）前記外部機器からの前記更新要求を受信した時間帯が前記ガスコンロ使用時間帯であるときには、前記制御部が、前記外部機器からの前記更新要求を受信した後、前記外部機器に対して前記更新拒否信号を返信し、また、
（ｂ）前記外部機器からの前記更新要求を受信した時間帯が前記ガスコンロ不使用時間帯であるときには、前記制御部が、前記外部機器からの前記更新要求を受信した後、前記外部機器に対して前記更新許可信号を返信するように構成されていること
が好ましい。
【００１６】
また、前記コンロバーナの火炎を熱起電力により検出する熱電対と、
前記コンロバーナにて加熱される被加熱物としての調理容器の底面部に接触することにより、前記被加熱物の温度を検出する温度センサとを備え、
前記制御部が、（１）前記手動操作部の指令によって点火を行った後、所定時間経過後における前記熱電対の熱起電力が所定の閾値以下のときに前記コンロバーナを消火するように制御する、炎検出制御プログラムと、（２）前記温度センサによる前記被加熱物の検出温度が所定温度より高いときに、前記制御プログラムが前記コンロバーナを消火するように制御する、ハイカット制御プログラムとを含み、
前記制御部が、前記制御プログラムに代えて、少なくとも前記炎検出制御プログラムおよび前記ハイカット制御プログラムを含み、かつ、前記制御プログラムとは異なる暫定プログラムを実行することができるように構成され、
前記外部機器からの前記更新要求を受信した後、前記外部機器に対して前記更新拒否信号を返信した回数が所定回数に達したとき、前記外部機器が、前記通信信号によって前記制御プログラムを強制的に更新する強制更新指令を実行し、
前記強制更新指令が実行されたとき、前記制御プログラムが更新されるとともに、
前記制御部が、前記制御プログラムに代えて、前記暫定プログラムを実行するように構成されていること
が好ましい。
【発明の効果】
【００１７】
上述のように、本発明のガスコンロは、制御部が外部機器との間で通信信号の送受信を行う送受信部を備え、外部機器からの通信信号による更新指令の実行により制御プログラムを更新することができるように構成され、かつ、（ａ）制御部が、外部機器からの更新要求を受信した後、外部機器に対して更新を拒否する旨の信号である更新拒否信号を返信したときには、外部機器が通信信号による更新指令を実行せず、（ｂ）制御部が、外部機器からの更新要求を受信した後、外部機器に対して更新を許可する旨の信号である更新許可信号を返信したときには、外部機器が通信信号による更新指令を実行するように構成されているので、遠隔操作によってガスコンロの制御プログラムの更新を行うことが可能で、しかも、制御プログラムの更新中にガスコンロの使用が制限されることによる不便を生じることの少ないガスコンロを提供することが可能になる。
【００１８】
また、  制御部は記憶部を備えており、
記憶部は、２４時間の整数倍の所定周期を複数の時間帯に分割し、複数の時間帯のうち、手動操作部の操作が行われた時点が含まれる時間帯をガスコンロ使用時間帯として記憶するとともに、複数の時間帯のうち、手動操作部の操作が行われたことのない時間帯をガスコンロ不使用時間帯として記憶し、（ａ）外部機器からの更新要求を受信した時間帯がガスコンロ使用時間帯であるときには、制御部が、外部機器からの更新要求を受信した後、外部機器に対して更新拒否信号を返信し、また、（ｂ）外部機器からの更新要求を受信した時間帯がガスコンロ不使用時間帯であるときには、制御部が、外部機器からの更新要求を受信した後、外部機器に対して更新許可信号を返信するように構成されている場合には、遠隔操作によるガスコンロの制御プログラムの更新を適切に行うことが可能で、かつ、ガスコンロの使用実態に応じて、制御プログラムの更新中にガスコンロの使用が制限されることによる不便を生じることの少ないガスコンロを提供することができる。
【００１９】
すなわち、外部機器からの更新要求を受信した時間帯がガスコンロ使用時間帯であるときには、制御部が外部機器に対して更新拒否信号を返信して制御プログラムの更新を行わず、外部機器からの更新要求を受信した時間帯がガスコンロ不使用時間帯であるときには、外部機器に対して更新許可信号を返信して制御プログラムの更新を行うことにより、ガスコンロの制御プログラムの更新を適切に行うことが可能で、しかも、制御プログラムの更新中にガスコンロの使用が制限されることによる不便の発生をよりよく抑制することが可能なガスコンロを提供することができる。
【００２０】
また、更新拒否信号を返信した回数が所定回数に達したとき、外部機器が強制更新指令を実行して制御プログラムを更新するとともに、制御部が、制御プログラムに代えて、少なくとも炎検出制御プログラムおよびハイカット制御プログラムを含む暫定プログラムを実行するように構成した場合、制御プログラムが更新されない状態が長引くことが抑制され、制御プログラムの更新中においても、使用者は、少なくとも炎検出制御プログラムおよびハイカット制御プログラムを実行する暫定プログラムによるガスコンロの使用が可能になるので、基本的な安全性を確保しつつ、使い勝手の良いガスコンロを実現することができる。
【図面の簡単な説明】
【００２１】
【図１】本発明の一実施形態にかかるガスコンロの斜視図である。
【図２】本発明の一実施形態にかかるガスコンロの概略構成図である。
【図３】本発明の一実施形態にかかるガスコンロの回転操作部（火力指令用操作部）と信号出力部の構成を示す側面図である。
【図４】本発明の一実施形態にかかるガスコンロの回転操作部（火力指令用操作部）の操作状態を示す図である。
【図５】本発明の一実施形態にかかるガスコンロの制御部による炎検出制御に係るサブルーチンのフローチャートである。
【図６】本発明の一実施形態にかかるガスコンロの制御部によるハイカット制御に係るサブルーチンのフローチャートである。
【発明を実施するための形態】
【００２２】
以下、本発明の実施形態を示して、その特徴とするところをさらに詳しく説明する。
【００２３】
［実施形態］
＜基本的構成＞
図１は、本発明の実施形態にかかるガスコンロを示す斜視図である。
【００２４】
図１に示すように、このガスコンロは、２つのコンロバーナ１ａ、１ｂ（Ｋ）、および、グリルバーナ２（図２参照）を具備するグリル部３を備えたテーブル式ガスコンロである。
【００２５】
本実施形態にかかるガスコンロは、グリル部３の燃焼排ガスを排気するグリル排気口４を備えており、ガスコンロの上面はトッププレート５で覆われている。また、トッププレート５の上部には、各コンロバーナ１ａ、１ｂ（Ｋ）で加熱する被加熱物（鍋など）を支持する五徳６が載置されている。
【００２６】
また、ガスコンロの正面（前側面）には、各コンロバーナ１ａ、１ｂ（Ｋ）およびグリルバーナ２の点火、消火、火力調節を指令する手動操作部Ｓが設けられている。
【００２７】
さらに、各種の制御を実行するように構成されたマイクロコンピュータを備える制御部である制御部Ｈ（図２参照）が、その手動操作部Ｓにて指令された運転状態に基づいて、コンロバーナ１ａ、１ｂ（Ｋ）およびグリルバーナ２を制御するように構成されている。つまり、この実施形態ではコンロバーナ１ａ、１ｂがそれぞれ、ガスを燃料とする調理用のコンロバーナＫを構成している。
【００２８】
図２に示すように、２つのコンロバーナ１ａ、１ｂ（Ｋ）のそれぞれには、点火手段として点火プラグ７および着火状態を検出する熱電対８が設けられている。
【００２９】
グリルバーナ２は上面バーナ２ａと左右一対の下面バーナ２ｂ、２ｃとを備えた両面バーナとして構成されおり、上面バーナ２ａおよび左右一対の下面バーナ２ｂ、２ｃのそれぞれにも点火手段としての点火プラグ７および着火状態を検出するための熱電対８が設けられている。
【００３０】
また、コンロバーナ１ａ、１ｂ（Ｋ）には、五徳６にて支持された被加熱物の底面部に接触して、被加熱物の温度を検出する温度センサ１０が設けられている。
【００３１】
次に、２つのコンロバーナ１ａ、１ｂ（Ｋ）およびグリルバーナ２へのガス供給構成について説明する。元ガス供給路１１には元ガス電磁弁１２が設けられている。
【００３２】
この元ガス供給路１１からは、右側バーナ用分岐路１３ａ、左側バーナ用分岐路１３ｂ、グリルバーナ用分岐路１３ｃの３系統に分岐している。グリルバーナ２へのグリルバーナ用分岐路１３ｃは、さらに、上面バーナ用の分岐路と下面バーナ用分岐路とに分岐し、それらの分岐路にはそれぞれ、オリフィスｏｆ付きの流路１５と開閉式電磁弁１６を備えたバイパス路１７とが設けられている。
【００３３】
そして、右側バーナ用分岐路１３ａ、左側バーナ用分岐路１３ｂ、および、グリルバーナ用分岐路１３ｃのそれぞれには、ステッピングモータの駆動によってガス流量を調整して各バーナの火力を調整する流量制御弁１８が設けられている。
【００３４】
流量制御弁１８は、駆動源としてのステッピングモータ（図示せず）と、このステッピングモータによって駆動される流量調整機構（図示せず）とを備えている。なお、この実施形態では流量制御弁１８により燃料であるガスの流量が制御され火力調整が行われる。
【００３５】
次に、前記手動操作部Ｓの構成について説明する。ガスコンロの正面（前側面）には、手動操作部Ｓとして、２つのコンロバーナ１ａ、１ｂ（Ｋ）およびグリルバーナ２のそれぞれに対して各別に点火、消火、火力調節を指令するための３つの加熱状態調節部２８（手動操作部Ｓ）が設けられている。
【００３６】
これら３つの加熱状態調節部２８（手動操作部Ｓ）は同じ構成であるので、そのうちの左側コンロバーナ１ｂに対する加熱状態調節部２８（手動操作部Ｓ）を代表として構成を説明し、他のものについての説明は省略する。
【００３７】
図３に示すように、ガスコンロの前面パネル２９に形成した挿通孔３０を通して裏面側から挿通する状態で円筒状の回転操作部３１が設けられている。この回転操作部３１は、図示しない位置保持機構によって押圧操作する毎に前面パネル２９とほぼ面一になる非作用状態と前方に突出する作用状態とに切り換え可能に構成されており、回転操作部３１が前記作用状態に切り換えられているときに、正転方向および逆転方向のそれぞれに回動操作可能となるように構成されている。
【００３８】
前面パネル２９の内部には、回転操作部３１が非作用状態にあるとオフ状態となり作用状態にあるとオン状態となる点火スイッチ３２が設けてある。この点火スイッチ３２の切り換え信号は制御部Ｈに入力されており、制御部Ｈはこの点火スイッチ３２がオン状態に切り換わると左側コンロバーナ１ｂに対する点火作動を開始し、オフ状態に切り換わると左側コンロバーナ１ｂの燃焼作動を停止するように構成されている。
【００３９】
また、前記前面パネル２９の内部には、回転操作部３１の回転操作に伴ってパルス信号を出力するロータリーエンコーダ３３が設けられている。つまり、このロータリーエンコーダ３３の操作軸３４に前記回転操作部３１が一体回動可能にかつ軸芯方向での相対移動を許容する状態で接続されている。
【００４０】
このロータリーエンコーダ３３は、回転操作部３１の一方向への回転操作に伴って２つのパルス信号のうちの一方のパルス信号が他方のパルス信号より位相が進み、回転操作部３１の他方向への回転操作に伴って前記他方のパルス信号が前記一方のパルス信号より位相が進む状態で、回転操作部３１の回転操作に伴って互いに異なる位相の２つのパルス信号を出力するように構成されている。
【００４１】
つまり、このロータリーエンコーダ３３は、２つの出力端子を備えており、その２つの出力端子から上述したような位相の異なるパルス信号が出力される構成である。このようなロータリーエンコーダ３３は周知のものであることから詳細な構成については説明を省略する。
【００４２】
本実施形態では、上述の回転操作部３１が火力指令用操作部を構成し、ロータリーエンコーダ３３によって信号出力部を構成する。
【００４３】
図４に示すように、前記前面パネル２９の外面側において前記各回転操作部３１の周囲には、火力を表示する複数のＬＥＤランプ３５を円弧状に並べた火力表示部３６が設けられている。つまり、コンロバーナ１ｂの火力（火力）は、コンロバーナ１ｂの最大火力と最小火力の間に設定された複数段（本実施形態では１０段）の内の一つの段の火力に調整設定することができるように構成されている。
また、前面パネル２９には、最小火力減少モードスイッチ（最小火力減少許可指令手段）Ｚが配設されている。
【００４４】
この火力表示部３６は複数（本実施形態では１０個）のＬＥＤランプ３５をレベルメータとして用いて回転操作部３１にて設定された火力の段数大きさに応じた、いずれかのＬＥＤランプ３５を点灯させて表示する構成とされている。
【００４５】
そして、制御部Ｈは、前記ロータリーエンコーダ３３から出力される前記パルス信号に基づいて、回転操作部３１の回転操作方向が、コンロバーナ１ｂの火力の増大を指令する正方向であるのか、コンロバーナ１ｂの火力の減少を指令する逆方向であるのか、についての正逆並びに回転操作量を判別するとともに、その判別した回転操作方向並びに回転操作量に対応させて左側コンロバーナ１ｂの火力を増大または減少させて火力の段数を変更して調整する手動操作火力制御を実行することになる。そして、このとき、ロータリーエンコーダ３３から出力される２つのパルス信号のデータを予め定めた設定単位時間毎に繰り返し読み込み、その読み込まれた前記２つのパルス信号のデータにおけるデータパターンに基づいて、回転操作部３１の回転操作方向並びに回転操作量を判別するように構成されている。
【００４６】
＜特徴的構成１＞
次に、本実施形態にかかるガスコンロの特徴的な構成について説明する。
【００４７】
本実施形態にかかるガスコンロは、制御部Ｈがマイクロコンピュータ（図示せず）を備えており、このマイクロコンピュータが制御プログラムを実行することで、手動操作部Ｓの指令に基づいてコンロバーナ１ａ、１ｂ（Ｋ）の火力が制御されるように構成されており、制御部Ｈが、外部機器（例えば当該ガスコンロのメーカが運営するメンテナンスセンターに設置されているサーバー）との間で通信信号の送受信を行う送受信部（図示せず）を備えている。
【００４８】
そして、上記制御プログラムが、外部機器（例えば当該ガスコンロのメーカが運営するメンテナンスセンターに備えるサーバー）からの通信信号による更新指令の実行よって更新を行うことができるように構成されている。
【００４９】
さらに、本実施形態にかかるガスコンロは、
（ａ）制御部Ｈが、上述の外部機器からの更新要求を受信した後、外部機器に対して更新を拒否する旨の信号である更新拒否信号を返信したときには、上述外部機器が通信信号による更新指令を実行せず、また、
（ｂ）制御部Ｈが、上述の外部機器からの更新要求を受信した後、外部機器に対して更新を許可する旨の信号である更新許可信号を返信したときには、外部機器が通信信号による更新指令を実行するように構成されている。
【００５０】
＜特徴的構成２＞
さらに、本実施形態にかかるガスコンロにおいては、制御部Ｈが、
２４時間の整数倍の所定周期を複数の時間帯に分割し、この複数の時間帯のうち、手動操作部Ｓの操作が行われた時点が含まれる時間帯をガスコンロ使用時間帯として記憶するとともに、前記複数の時間帯のうち、手動操作部Ｓの操作が行われたことのない時間帯をガスコンロ不使用時間帯として記憶する記憶部（図示せず）を備えている。
【００５１】
そして、外部機器（例えば当該ガスコンロのメーカが運営するメンテナンスセンターに設置されているサーバー）からの更新要求を受信した時間帯が上述のガスコンロ使用時間帯であるときには、制御部Ｈが、外部機器からの更新要求を受信した後、外部機器に対して更新拒否信号を返信し、また、外部機器からの更新要求を受信した時間帯が上述のガスコンロ不使用時間帯であるときには、制御部Ｈが、外部機器からの更新要求を受信した後、外部機器に対して更新許可信号を返信するように構成されている。
【００５２】
＜特徴的構成３＞
さらに本実施形態のガスコンロは、コンロバーナ１ａ、１ｂ（Ｋ）の火炎を熱起電力により検出する熱電対８を有している（図２参照）。
【００５３】
そして、上述の制御プログラムは、手動操作部Ｓの指令によって点火を行った後、所定時間（ＳＴ：例えば５秒）経過後における熱電対８の熱起電力が所定の閾値（例えば２．５ｍＶ）以下であるとき、コンロバーナ１ａ、１ｂ（Ｋ）を消火するように制御する、炎検出制御プログラム（図５参照）を含んでいる。
【００５４】
以下に、図５を参照しつつ、炎検出制御プログラムについて簡単に説明する。炎検出制御プログラム（サブルーチン）が実行されると、先ず、Ｓ１０１において、点火開始後所定時間（ＳＴ）が経過した時点での熱電対８の熱起電力が２．５ｍＶ以下であるか否かが判定される。そして、熱起電力が２．５ｍＶより高い場合には、元ガス電磁弁１２の開弁が維持される（Ｓ１０２）。一方、熱電対８の熱起電力が２．５ｍＶ以下である場合には、元ガス電磁弁１２が閉弁され（Ｓ１０３）、リターンして、メインルーチンに戻る。
【００５５】
また、上述の制御プログラムは、コンロバーナ１ａ、１ｂ（Ｋ）にて加熱される被加熱物としての調理容器の底面部に接触して被加熱物の温度を検出する温度センサ１０による検出温度が所定温度（例えば２７０℃）より高いとき、コンロバーナ１ａ、１ｂ（Ｋ）を消火するように制御する、ハイカット制御プログラム（図６参照）を含んでいる。
【００５６】
以下に、図６を参照しつつ、ハイカット制御プログラムについて簡単に説明する。ハイカット制御プログラム（サブルーチン）が実行されると、先ず、Ｓ２０１において、温度センサ１０による調理容器の底部の検出温度が所定温度（例えば２７０℃）より高いか否かが判定され、２７０℃以下である場合には、元ガス電磁弁１２の開弁が維持される（Ｓ２０２）。一方、温度センサ１０による調理容器の底部の検出温度が２７０℃より高い場合には、元ガス電磁弁１２が閉弁され（Ｓ２０３）、リターンして、メインルーチンに戻る。
【００５７】
さらに、この特徴的構成３においては、制御部Ｈが備えているマイクロコンピュータが、通常時に実行される制御プログラムに代えて、少なくとも炎検出制御プログラムおよびハイカット制御プログラムを含み、かつ、通常時に実行される制御プログラムとは異なる暫定プログラムを実行することができるように構成されている。
【００５８】
そして、外部機器（例えば当該ガスコンロのメーカが運営するメンテナンスセンターに設置されているサーバー）からの更新要求を受信した後、外部機器に対して上述の更新拒否信号を返信した回数が所定回数（例えば５回）に達したとき、外部機器が上記通信信号によって強制更新指令を実行するように構成されている。
【００５９】
この強制更新指令が実行されると、通常時に実行される制御プログラムが強制的に更新されるとともに、制御部Ｈが備えるマイクロコンピュータが、通常時に実行される制御プログラムに代えて、上述の暫定プログラムを実行するように構成されている。
【００６０】
本実施形態にかかるガスコンロは、上述の特徴的構成１を備えており、（ａ）制御部が、外部機器からの更新要求を受信した後、更新拒否信号を返信したときには、外部機器が通信信号による更新指令を実行せず、（ｂ）制御部が、外部機器からの更新要求を受信した後、更新許可信号を返信したときには、外部機器が通信信号による更新指令を実行するように構成されているので、遠隔操作によってガスコンロの制御プログラムの更新を行うことが可能であるとともに、制御プログラムの更新中にガスコンロの使用が制限されるという不便の発生を抑制することが可能なガスコンロを実現することができる。
【００６１】
本実施形態にかかるガスコンロは、さらに上述の特徴的構成２を備えており、制御部が、２４時間の整数倍の所定周期を複数の時間帯に分割し、複数の時間帯のうちの手動操作部Ｓの操作が行われた時点が含まれる時間帯をガスコンロ使用時間帯として記憶するとともに、複数の時間帯のうちの手動操作部Ｓの操作が行われたことのない時間帯をガスコンロ不使用時間帯として記憶する記憶部（図示せず）を備え、（ａ）外部機器からの更新要求を受信した時間帯がガスコンロ使用時間帯であるときには、制御部が、外部機器からの更新要求を受信した後、外部機器に対して更新拒否信号を返信し、また、（ｂ）外部機器からの更新要求を受信した時間帯がガスコンロ不使用時間帯であるときには、制御部が、外部機器からの更新要求を受信した後、外部機器に対して更新許可信号を返信して、外部機器が通信信号による更新指令を実行するようにしているので、遠隔操作によるガスコンロの制御プログラムの更新を適切に行うことが可能で、かつ、ガスコンロの使用実態に応じて、制御プログラムの更新中にガスコンロの使用が制限されることによる不便を生じることの少ないガスコンロを提供することができる。
【００６２】
本実施形態にかかるガスコンロは、さらに上述の特徴的構成３を備えており、制御部Ｈが、所定の条件下でコンロバーナ１ａ、１ｂ（Ｋ）を消火する炎検出制御プログラム（図５参照）と、調理容器の底面部に接触して被加熱物の温度を検出する温度センサ１０による検出温度が所定温度（例えば２７０℃）より高いとき、コンロバーナ１ａ、１ｂ（Ｋ）を消火するように制御する、ハイカット制御プログラム（図６参照）を含み、制御部Ｈが備えているマイクロコンピュータが、通常時に実行される制御プログラムに代えて、少なくとも炎検出制御プログラムおよびハイカット制御プログラムを含み、通常時に実行される制御プログラムとは異なる暫定プログラムを実行可能に構成されているとともに、外部機器からの更新要求を受信した後、外部機器に対して更新拒否信号を返信した回数が所定回数に達したとき、外部機器が上記通信信号によって強制更新指令を実行するように構成され、かつ、強制更新指令が実行されたとき、通常時に実行される制御プログラムが更新されるとともに、制御部Ｈが備えるマイクロコンピュータが、通常時に実行される制御プログラムに代えて、暫定プログラムを実行するように構成されているので、制御プログラムが更新されない状態が長引くことが抑制され、しかも、制御プログラムの更新中においても、使用者は、少なくとも炎検出制御プログラムおよびハイカット制御プログラムを実行するガスコンロの使用が可能になるので、基本的な安全性を確保しつつ、使い勝手の良いガスコンロを実現することができる。
【００６３】
なお、上述の特徴的構成２および特徴的構成３は、本発明をより有意義なものにするための構成であり、かかる構成を省略することも可能である。
【００６４】
本発明は、上記実施形態に限定されるものではなく、本発明の範囲内において種々の変形を加えることが可能である。
【符号の説明】
【００６５】
１ａ、１ｂ（Ｋ）コンロバーナ
２              グリルバーナ
２ａ            上面バーナ
２ｂ、２ｃ      左右一対の下面バーナ
３              グリル部
４              グリル排気口
５              トッププレート
６              五徳
７              点火プラグ
８              熱電対
１０            温度センサ
１１            元ガス供給路
１２            元ガス電磁弁
１３ａ          右側バーナ用分岐路
１３ｂ          左側バーナ用分岐路
１３ｃ          グリルバーナ用分岐路
１５            オリフィス付きの流路
１６            開閉式電磁弁
１７            バイパス路
１８            流量制御弁
２８            加熱状態調節部
２９            前面パネル
３０            挿通孔
３１            回転操作部（火力指令用操作部）
３２            点火スイッチ
３３            ロータリーエンコーダ（信号出力部）
３４            操作軸
３５            ＬＥＤランプ
３６            火力表示部
Ｈ              制御部
Ｋ              コンロバーナ
Ｓ              手動操作部
Ｚ              最小火力減少モードスイッチ（最小火力減少許可指令手段）
【図１】
2020024052.tif 000003
【図２】
2020024052.tif 000004
【図３】
2020024052.tif 000005
【図４】
2020024052.tif 000006
【図５】
2020024052.tif 000007
【図６】
2020024052.tif 000008